(57)【要約】【課題】構成の簡易化等を図りつつ表示品位の低下を防止する。【解決手段】ランプ信号生成回路２５２は、ランプ信号Ｖoutを給電線２７０に供給し、ｊ列のＴＦＴ２７２は、給電線２７０とｊ列目のデータ線２１１との間でスイッチ制御信号Ｘjに応じてオンまたはオフ状態となる。ＴＦＴ２７４は、常にオン状態にあり、そのソース電極は給電線２７０に接続されている。ある行の走査線３１１が選択されたとき、スイッチ制御信号ＸjをＨレベルとしてＴＦＴ２７２をオン状態にさせ、当該ドレイン電極に現れる信号Ｖaの電圧が、選択された走査線の行に位置するｊ列目の画素の階調電圧に達したときに、スイッチ制御信号ＸjをＬレベルとしてＴＦＴ２７２をオフ状態にさせる。【選択図】図３
2008191617.tif 000002
【特許請求の範囲】
【請求項１】
複数行の走査線と複数列のデータ線との交差に対応して設けられた複数の画素を備え、
前記複数の画素の各々は、
データ線と画素電極との間にて、走査線が選択されたときにオン状態となる画素スイッ
チング素子を有し、前記画素スイッチング素子がオン状態のときにデータ線の電圧に基づ
いた階調となる
電気光学装置の駆動回路であって、
前記複数行の走査線を所定の順番で選択する走査線駆動回路と、
前記複数列のデータ線をそれぞれ駆動するデータ線駆動回路と、
を具備し、
前記データ線駆動回路は、
前記走査線駆動回路によって一の行の走査線が選択された期間に、電圧が単調またはス
テップ状に変化するランプ信号を給電線に供給する信号生成回路と、
前記複数列のデータ線の各々に設けられ、前記給電線とデータ線との間でオンまたはオ
フ状態となる複数のデータ側スイッチング素子と、
前記一のデータ線に対応するデータ側スイッチング素子を、
当該選択された期間の開始側からオン状態にさせ、
前記給電線を介して供給されたランプ信号の電圧が、当該一の行の走査線と当該一のデ
ータ線との交差に対応する画素の階調に対応する電圧に達したときに、オフ状態にさせる
スイッチ制御回路と、
を備えることを特徴とする電気光学装置の駆動回路。
【請求項２】
一端が前記給電線に接続されてオン状態に維持されたダミースイッチング素子を備え、
前記スイッチ制御回路は、前記ダミースイッチング素子の他端の電圧を、前記給電線を
介して供給されたランプ信号の電圧として検出する
ことを特徴とする請求項１に記載の電気光学装置の駆動回路。
【請求項３】
一端が前記ダミースイッチング素子の他端に接続され、他端が所定電位の給電線に接続
されたダミー容量を備える
ことを特徴とする請求項２に記載の電気光学装置の駆動回路。
【請求項４】
前記データ線駆動回路は、
カウント値に応じた階調電圧を生成する目標電圧生成回路を備え、
前記スイッチ制御回路は、
前記信号生成回路によって生成され、前記給電線を介して供給されたランプ信号の電圧
が前記階調電圧に達したか否かを判別する比較回路と、
前記給電線を介して供給されたランプ信号の電圧が前記階調電圧に達したと判別された
ときに前記カウント値をアップまたはダウンカウントさせるカウンタと、
を備え、
前記一のデータ線に対応するデータ側スイッチング素子を、前記カウント値が、当該一
の行の走査線と当該一のデータ線との交差に対応する画素の階調に達したときに、オフ状
態にさせる
ことを特徴とする請求項１に記載の電気光学装置の駆動回路。
【請求項５】
前記信号生成回路は、
カウント値に応じた階調電圧を前記ランプ信号として生成し、
前記スイッチ制御回路は、
前記信号生成回路によって生成され前記給電線を介して供給された階調電圧が、前記信
号生成回路によって生成された階調電圧に達したか否かを判別する比較回路と、
前記給電線を介して供給された階調電圧が、前記信号生成回路によって生成された階調
電圧に達したと判別されたときに前記カウント値をアップまたはダウンカウントさせるカ
ウンタと、
を備え、
前記一のデータ線に対応するデータ側スイッチング素子を、前記カウント値が当該一の
行の走査線と当該一のデータ線との交差に対応する画素の階調に達したときに、オフ状態
にさせる
ことを特徴とする請求項１に記載の電気光学装置の駆動回路。
【請求項６】
前記画素は、
前記画素スイッチング素子がオン状態のときに、データ線とコモン電極との電圧差に応
じた階調となり、
前記コモン電極には、相対的に低い電圧および相対的に高い電圧が所定の周期で交互に
印加され、
前記ランプ信号の電圧は、
前記コモン電極に前記相対的に低い電圧が印加される期間では、当該相対的に低い電圧
以上の電圧から単調増加またはステップ状に増加し、
前記コモン電極に前記相対的に高い電圧が印加される期間では、当該相対的に高い電圧
以下の電圧から単調減少またはステップ状に減少する
ことを特徴とする請求項１に記載の電気光学装置の駆動回路。
【請求項７】
複数行の走査線と複数列のデータ線との交差に対応して設けられた複数の画素と、
前記複数行の走査線を所定の順番で選択する走査線駆動回路と、
前記複数列のデータ線をそれぞれ駆動するデータ線駆動回路と、
を具備し、
前記データ線駆動回路は、
前記走査線駆動回路によって一の行の走査線が選択された期間に、電圧が単調またはス
テップ状に変化するランプ信号を給電線に供給する信号生成回路と、
前記複数列のデータ線の各々に設けられ、前記給電線とデータ線との間でオンまたはオ
フ状態となる複数のデータ側スイッチング素子と、
前記一のデータ線に対応するデータ側スイッチング素子を、
当該選択された期間の開始側からオン状態にさせ、
前記給電線を介して供給されたランプ信号の電圧が、当該一の行の走査線と当該一のデ
ータ線との交差に対応する画素の階調に対応する電圧に達したときに、オフ状態にさせる
スイッチ制御回路と、
を備え、
前記複数の画素の各々は、データ線と画素電極との間にて、走査線が選択されたときに
オン状態となる画素スイッチング素子を有し、前記画素スイッチング素子がオン状態のと
きに、データ線の電圧に基づいた階調となる
ことを特徴とする電気光学装置。
【請求項８】
請求項７に記載の電気光学装置を有することを特徴とする電子機器。
【発明の詳細な説明】
【技術分野】
【０００１】
本発明は、アクティブマトリクス型の電気光学装置における表示品位の低下を防止する
技術に関する。
【背景技術】
【０００２】
液晶などの電気光学的な変化により表示を行う電気光学装置は、走査線に選択電圧が印
加される期間に、階調に応じた電圧を、データ線を介し画素電極に印加することによって
画素に印加される電圧実効値を制御し、これにより、階調表示を行う構成のものがある。
ただし、この構成では、各階調に応じて生成した電圧のうち、画素の階調に応じたものを
選択してデータ線に供給する必要があるので、電圧の生成や選択等をするための回路が複
雑化する、という問題がある。
そこで、走査線に選択電圧が印加される期間に、例えばコモン電極を一定の電圧に保つ
一方、画素電極に対し電圧が単調変化するランプ信号を、オン状態のスイッチおよびデー
タ線を介して印加するとともに、階調に応じた時間が経過した時点で当該スイッチをオフ
させて、これにより画素電極とコモン電極との差電圧を保持させる技術が提案されている
（特許文献１参照）。
【特許文献１】特許第３３６７８０８号公報
【発明の開示】
【発明が解決しようとする課題】
【０００３】
しかしながら、上記技術において、ランプ信号の波形が乱れたり、電圧が所定通りに変
化しなかったりすると、画素電極とコモン電極との差電圧が目的とする階調に応じた値に
はならないので、明るさなどのムラが発生して、表示品位が低下してしまう、という問題
が指摘されている。
本発明は、このような事情に鑑みてなされたもので、その目的とするところは、電気光
学装置において表示品位の低下を防止することが可能な電気光学装置、駆動回路および電
子機器を提供することにある。
【課題を解決するための手段】
【０００４】
上記目的を達成するため本発明に係る電気光学装置の駆動回路は、複数行の走査線と複
数列のデータ線との交差に対応して設けられた複数の画素を備え、前記複数の画素の各々
は、データ線と画素電極との間にて、走査線が選択されたときにオン状態となる画素スイ
ッチング素子を有し、前記画素スイッチング素子がオン状態のときにデータ線の電圧に基
づいた階調となる電気光学装置の駆動回路であって、前記複数行の走査線を所定の順番で
選択する走査線駆動回路と、前記複数列のデータ線をそれぞれ駆動するデータ線駆動回路
と、を具備し、前記データ線駆動回路は、前記走査線駆動回路によって一の行の走査線が
選択された期間に、電圧が単調またはステップ状に変化するランプ信号を給電線に供給す
る信号生成回路と、前記複数列のデータ線の各々に設けられ、前記給電線とデータ線との
間でオンまたはオフ状態となる複数のデータ側スイッチング素子と、前記一のデータ線に
対応するデータ側スイッチング素子を、当該選択された期間の開始側からオン状態にさせ
、前記給電線を介して供給されたランプ信号の電圧が、当該一の行の走査線と当該一のデ
ータ線との交差に対応する画素の階調に対応する電圧に達したときに、オフ状態にさせる
スイッチ制御回路と、を備えることを特徴とする。本発明によれば、給電線における容量
負荷の変動を受けずに、階調の階調に応じた電圧をデータ線に供給することが可能となる
。
【０００５】
本発明において、一端が前記給電線に接続されてオン状態に維持されたダミースイッチ
ング素子を備え、前記スイッチ制御回路は、前記ダミースイッチング素子の他端の電圧を
、前記給電線を介して供給されたランプ信号の電圧として検出する構成が好ましい。この
構成において、一端が前記ダミースイッチング素子の他端に接続され、他端が所定電位の
給電線に接続されたダミー容量を備えても良い。なお、ダミー容量とダミースイッチング
素子とによる積分回路の時定数は、画素スイッチング素子とデータ線とによる積分回路の
時定数と同じとするのが望ましい。
本発明において、前記データ線駆動回路は、カウント値に応じた階調電圧を生成する目
標電圧生成回路を備え、前記スイッチ制御回路は、前記信号生成回路によって生成され、
前記給電線を介して供給されたランプ信号の電圧が前記階調電圧に達したか否かを判別す
る比較回路と、前記給電線を介して供給されたランプ信号の電圧が前記階調電圧に達した
と判別されたときに前記カウント値をアップまたはダウンカウントさせるカウンタと、を
備え、前記一のデータ線に対応するデータ側スイッチング素子を、前記カウント値が、当
該一の行の走査線と当該一のデータ線との交差に対応する画素の階調に達したときに、オ
フ状態にさせる構成としても良い。
また、本発明において、前記信号生成回路は、カウント値に応じた階調電圧を前記ラン
プ信号として生成し、前記スイッチ制御回路は、前記信号生成回路によって生成され前記
給電線を介して供給された階調電圧が、前記信号生成回路によって生成された階調電圧に
達したか否かを判別する比較回路と、前記給電線を介して供給された階調電圧が、前記信
号生成回路によって生成された階調電圧に達したと判別されたときに前記カウント値をア
ップまたはダウンカウントさせるカウンタと、を備え、前記一のデータ線に対応するデー
タ側スイッチング素子を、前記カウント値が当該一の行の走査線と当該一のデータ線との
交差に対応する画素の階調に達したときに、オフ状態にさせる構成としても良い。
さらに、本発明において、前記画素は、前記画素スイッチング素子がオン状態のときに
、データ線とコモン電極との電圧差に応じた階調となり、前記コモン電極には、相対的に
低い電圧および相対的に高い電圧が所定の周期で交互に印加され、前記ランプ信号の電圧
は、前記コモン電極に前記相対的に低い電圧が印加される期間では、当該相対的に低い電
圧以上の電圧から単調増加またはステップ状に増加し、前記コモン電極に前記相対的に高
い電圧が印加される期間では、当該相対的に高い電圧以下の電圧から単調減少またはステ
ップ状に減少する構成としても良い。
なお、本発明は、電気光学装置の駆動回路のみならず、電気光学装置それ自体、さらに
は、当該電子機器を備える電子機器としても概念することが可能である。
【発明を実施するための最良の形態】
【０００６】
以下、本発明の実施の形態について図面を参照して説明する。
【０００７】
＜第１実施形態＞
図１は、本発明の第１実施形態に係る電気光学装置の構成を示すブロック図である。
この図に示されるように、電気光学装置１は、表示領域１００を有する。この表示領域
１００では、３２０行の走査線３１１が行（Ｘ）方向に延在するように、２４０列のデー
タ線２１１が列（Ｙ）方向に延在するように、それぞれ設けられている。そして、画素１
２０が３２０行の走査線３１１と２４０列のデータ線２１１との交差に対応して、それぞ
れ配列している。したがって、本実施形態では、画素１２０が縦３２０行×横２４０列で
マトリクス状に配列することになるが、本発明をこの配列に限定する趣旨ではない。
【０００８】
ここで、画素１２０の詳細な構成について説明する。図２は、画素１２０の構成を示す
図であり、ｉ行及びこれに隣接する（ｉ＋１）行と、ｊ列及びこれに隣接する（ｊ＋１）
列との交差に対応する２×２の計４画素分の構成が示されている。
なお、ｉ、（ｉ＋１）は、画素１２０が配列する行を一般的に示す場合の記号であって
、１以上３２０以下の整数であり、ｊ、（ｊ＋１）は、画素１２０が配列する列を一般的
に示す場合の記号であって、１以上２４０以下の整数である。
【０００９】
図２に示されるように、各画素１２０は、液晶容量１３０と、画素スイッチング素子と
して機能するｎチャネル型の薄膜トランジスタ（thin film transistor：以下単に「ＴＦ
Ｔ」と略称する）２４１とを有する。各画素１２０については互いに同一構成なので、ｉ
行ｊ列に位置するもので代表して説明すると、当該ｉ行ｊ列の画素１２０において、ＴＦ
Ｔ２４１のゲート電極はｉ行目の走査線３１１に接続される一方、そのソース電極はｊ列
目のデータ線２１１に接続され、そのドレイン電極は液晶容量１３０の一端たる画素電極
２３１に接続されている。
また、液晶容量１３０の他端は、コモン電極１１０に接続されている。このコモン電極
１１０は、本実施形態では、図１に示されるように全ての画素１２０にわたって共通であ
る。なお、このコモン電極１１０には、制御回路４００からコモン信号Ｖcomが供給され
る。
【００１０】
液晶容量１３０では、画素電極２３１とコモン電極１１０との差電圧が保持されるとと
もに、液晶容量１３０の透過（または反射）光量が、当該保持電圧の実効値に応じて変化
する構成となっている。
このような構成としては、特に詳述する必要もないと考えられるが、画素電極とコモン
電極とで液晶を挟持して、液晶にかかる電界方向を基板面垂直方向とした方式や、画素電
極、絶縁層およびコモン電極とを積層して、液晶にかかる電界方向を基板面水平方向とし
た方式などが挙げられる。
なお、本実施形態では便宜上、液晶容量１３０において保持される電圧実効値がゼロに
近ければ、光の透過率が最小となって黒色表示になる一方、電圧実効値が大きくなるにつ
れて透過する光量が増加して、ついには透過率が最大の白色表示になるノーマリーブラッ
クモードに設定されているものとして説明する。
【００１１】
表示領域１００では、このように３２０行の走査線３１１と２４０列のデータ線２１１
とともに、これらの交差にそれぞれ画素１２０が設けられている。そこで次に、これらの
走査線３１１やデータ線２１１を駆動する回路である、データ線駆動回路２５０、走査線
駆動回路３５０および制御回路４００について説明する。
制御回路４００は、制御信号Ｃntxや、リセット信号Ｒes、極性指定信号Ｐolによって
データ線駆動回路２５０の動作を制御するとともに、制御信号Ｃntyによって走査線駆動
回路３５０の動作を制御する。
【００１２】
制御回路４００によって生成される信号のうち、リセット信号Ｒesは、図４に示される
ように、１行の走査線３１１が選択される水平走査期間（Ｈ）の開始を規定するパルス信
号である。
極性指定信号Ｐolは、液晶容量１３０に対する電圧の書込極性を指定する信号であり、
Ｈレベルであれば正極性を、Ｌレベルであれば負極性を、それぞれ指定する。ここで、液
晶容量の書込極性は、画素電極２３１がコモン電極１１０よりも電圧が高位となる場合を
正極性とし、画素電極２３１がコモン電極１１０よりも低位となる場合を負極性としてい
る。
マトリクス状に配列する画素１２０に対してどの極性で書き込むかについては、走査線
毎、データ線毎、画素毎、面（フレーム）毎などの様々な態様があるが、この実施形態に
あっては説明の便宜上、走査線単位の極性反転とする。走査線単位の極性反転であれば、
極性指定信号Ｐolは、同図に示されるように水平走査期間（Ｈ）毎に論理反転することに
なる。また、液晶容量１３０に直流成分が印加されると、液晶が劣化するので、正極性書
込と負極性書込とが垂直走査期間（Ｆ）毎に交互に切り替えられる。
【００１３】
なお、本実施形態において論理レベルのＨレベルは電源の高位側である電圧Ｖddに相当
し、Ｌレベルは電源の低位側であって電圧ゼロの接地電位Ｇndに相当する。
コモン信号Ｖcomは、同図に示されるように、極性指定信号ＰolがＨレベルとなって正
極性書込が指定される水平走査期間（Ｈ）では、電圧Ｖpc、Ｖncのうち、低位側の電圧Ｖ
pcとなり、極性指定信号ＰolがＬレベルとなって負極性書込が指定される水平走査期間（
Ｈ）では、高位側の電圧Ｖncとなる。
【００１４】
走査線駆動回路３５０は、制御信号Ｃntyにしたがって、１、２、３、…、３２０行目
の走査線３１１を、それぞれ水平走査期間（Ｈ）毎に順番に選択するとともに、選択した
走査線３１１に対応する走査信号を当該水平走査期間（Ｈ）にわたってＨレベルとし、そ
れ以外の走査線３１１に対応する走査信号をＬレベルとするものである。
ここで、１、２、３、…、３２０行目の走査線３１１に供給される走査信号を、それぞ
れＹ1、Ｙ2、Ｙ3、…、Ｙ320と表記すると、これらの走査信号は、図４に示されるように
、水平走査期間（Ｈ）の幅を有するパルス信号を、順次シフトさせたものとなる。
なお、走査信号について特に行を特定しないで一般的に説明するときにはＹiと表記す
る。また、本実施形態では、最初の走査信号Ｙ1がＨレベルに変化してから、最終の走査
信号Ｙ320がＬレベルに変化するまでの期間を垂直走査期間（Ｆ）としている。
【００１５】
データ線駆動回路２５０は、走査線駆動回路３５０によって選択された走査線に位置す
る１行分の画素１２０に、階調に応じたデータ信号を、それぞれ１、２、３、…、２４０
列のデータ線２１１を介して供給するものである。
なお、便宜的に、１、２、３、…、２４０列のデータ線２１１における電圧をＳ1、Ｓ2
、Ｓ3、…、Ｓ240と表記している。
【００１６】
図３は、データ線駆動回路２５０の詳細構成を示すブロック図である。
この図に示されるように、データ線駆動回路２５０には、レジスタ回路（Ｒeg）２６２
、ラッチ回路（Ｌ）２６４および比較回路（Ｄ-Ｃmp）２６６の組が、１〜２４０列のデ
ータ線２１１の各々に対応して設けられる。
図示しない外部上位装置からは、画素の階調（明るさ）を指定する階調データＤaが、
１行１列〜１行２４０列、２行１列〜２行２４０列、３行１列〜３行２４０列、…、３２
０行１列〜３２０行２４０列という順番で供給される。この階調データＤaは、例えば８
ビットであり、十進表記した場合に「０」から「２５５」までの値により２５６段階で画
素の階調を指定するものである。また、階調データＤaは、最小値「０」が最低階調の黒
色を指定し、値が徐々に大きくなるにつれて明るくなるように指定し、最大値「２５５」
が最高階調の白色を指定するものとする。
なお、上述したように本実施形態では、ノーマリーブラックモードに設定されているの
で、階調データＤaで指定される値が大きくなるにつれて、液晶容量１３０に保持される
電圧実効値が大きくなるようにすれば良い。
また、画素電極２３１に印加すべき電圧は、正極性書込が指定されている場合であれば
、階調の値が大きくなるにつれてコモン信号Ｖoutの電圧Ｖpcよりも高くなる一方、負極
性書込が指定されている場合であれば、値が大きくなるにつれてコモン信号Ｖoutの電圧
Ｖncよりも低くなる関係になる。
【００１７】
１〜２４０列目に対応するレジスタ回路２６２の各々は、外部上位装置から例えばｉ行
目の階調データＤaが供給されたときに、自身に対応する列のものを保持するものである
。したがってｊ列目のレジスタ回路２６２は、ｉ行ｊ列の画素の階調データＤaを保持す
ることになる。
１〜２４０列目に対応するラッチ回路２６４の各々は、ｉ行目の走査線３１１が選択さ
れたときに、自身に対応する列のレジスタ回路２６２で保持された階調データを、当該ｉ
行目の走査線が選択される水平走査期間（Ｈ）にわたってラッチして比較回路２６６の入
力端Ａに供給するものである。したがってｊ列目のラッチ回路２６４は、ｉ行目の走査線
３１１が選択される水平走査期間（Ｈ）にわたって、ｉ行ｊ列の画素の階調データＤaを
ラッチすることになる。
【００１８】
なお、外部上位装置から供給されたｉ行目の階調データＤaは、１〜２４０列目に対応
するレジスタ回路２６２に保持され、この後、表示領域１００においてｉ行目の走査線３
１１が選択されたときに、１〜２４０列目に対応するラッチ回路２６４によってラッチさ
れる一方で、外部上位装置から次の（ｉ＋１）行目の階調データＤaが供給されて、１〜
２４０列目に対応するレジスタ回路２６２に保持される。
このようなレジスタ回路２６２による保持動作やラッチ回路２６４などによる動作は、
図３では特に図示していないが、制御信号Ｃntxおよびリセット信号Ｒesを介して制御回
路４００によって制御される。
【００１９】
１〜２４０列目に対応する比較回路２６６は、入力端Ａ、Ｂのデジタル値同士を比較し
て、それぞれ次のようにスイッチ制御信号Ｘ1〜Ｘ240を出力する。例えばｊ列目に対応す
る比較回路２６６は、後述する初期設定モードである場合には、スイッチ制御信号Ｘjを
強制的にＨレベルとする一方、ランプ・モードに移行した場合には、入力端Ａに供給され
たｊ列目の画素の階調データＤaで指定される階調の値と入力端Ｂに供給されたカウント
値Ｄbとを比較して、当該カウント値Ｄbが当該値に達していなければ、スイッチ制御信号
ＸjのＨレベルを維持し、当該カウント値Ｄbが当該値に等しくなったときに、スイッチ制
御信号ＸjをＬレベルとするものである。
【００２０】
ＴＦＴ２７２は、１〜２４０列目のデータ線２１１に対応して設けられ、データ側スイ
ッチング素子として機能する。１〜２４０列目のＴＦＴ２７２におけるゲート電極には、
自身に対応する列の比較回路２６６から出力されたスイッチ制御信号が供給され、そのソ
ース電極は、ランプ信号Ｖoutが供給される給電線２７０に共通接続され、そのドレイン
電極は、自身に対応するデータ線２１１に接続されている。例えばｊ列目のＴＦＴ２７２
におけるゲート電極にはスイッチ制御信号Ｘjが供給され、そのドレイン電極はｊ列目の
データ線２１１に接続されている。
【００２１】
ランプ信号生成回路２５２は、第１実施形態では信号生成回路として機能するものであ
り、次のようなランプ信号Ｖoutを生成して、給電線２７０に供給する。すなわち、ラン
プ信号生成回路２５２は、図４に示されるように、極性指定信号Ｐolによって正極性書込
が指定される水平走査期間（Ｈ）では電圧Ｖp(0)から上昇する一方、負極性書込が指定さ
れる水平走査期間（Ｈ）では電圧Ｖn(0)から下降するランプ信号Ｖoutを生成する。
より詳細には、水平走査期間（Ｈ）の開始から予め定められた時間だけ経過するまで初
期設定モードとなった後、ランプ・モードに移行するので、ランプ信号生成回路２５２は
、ランプ信号Ｖoutを、正極性書込が指定される水平走査期間（Ｈ）のうち、初期設定モ
ードでは電圧Ｖp(0)で一定とし、その後、ランプ・モードに移行したときに電圧Ｖp(0)か
ら上昇を開始させる一方、負極性書込が指定される水平走査期間（Ｈ）のうち、初期設定
モードでは電圧Ｖn(0)で一定とし、その後、ランプ・モードに移行したときに電圧Ｖn(0)
から下降を開始させる。
【００２２】
ここで、電圧Ｖp(0)、Ｖn(0)は、同図に示されるように、Ｖpc≦Ｖp(0)＜Ｖn(0)≦Ｖnc
という関係にあり、このうち、電圧Ｖp(0)は、正極性書込が指定されてコモン電極１１０
が電圧Ｖpcとなっている場合に、画素電極２３１に印加されたときに画素を黒色とさせる
電圧である。また、電圧Ｖn(0)は、負極性書込が指定されてコモン電極１１０が電圧Ｖnc
となっている場合に、画素電極２３１に印加されたときに画素を黒色とさせる電圧である
。
【００２３】
ＴＦＴ２７４は、ダミースイッチング素子として機能するものであり、そのソース電極
は、給電線２７０に接続されている一方、そのドレイン電極は、バッファ回路２７６の入
力端と、ダミー容量２７５の一端にそれぞれ接続されている。ＴＦＴ２７４のゲート電極
にはＨレベルに相当する電圧Ｖddが印加されているので、ＴＦＴ２７２とは異なり、常に
オン状態である。また、ダミー容量２７５の他端は、時間的に一定の電位、例えば電位Ｇ
ndに接地されている。
ここで、ＴＦＴ２７４とダミー容量２７５とは、オン状態のＴＦＴ２７２からデータ線
２１１に至る配線経路を模擬するためのものである。このため、ＴＦＴ２７４のオン抵抗
とダミー容量２７５とによる時定数は、ＴＦＴ２７２のオン抵抗およびデータ線２１１の
寄生容量で決まる時定数と同じとなるように設計される。
したがって、ＴＦＴ２７４のソース電極に現れる信号Ｖaの電圧は、給電線２７０から
オン状態のＴＦＴ２７２を介してデータ線２１１に印加される電圧と同一視して良いこと
になる。
【００２４】
バッファ回路２７６は、電圧増幅係数が「１」であり、ＴＦＴ２７４のソース電極に現
れる電圧をバッファリングして比較回路２８０の入力端ａに供給する。したがって、比較
回路２８０の入力端ａに供給される信号の電圧は、ＴＦＴ２７４のソース電極に現れる信
号Ｖaの電圧である、と考えて良い。一方、比較回路２８０の入力端ｂには、目標電圧生
成回路２８６による信号Ｖbが供給されている。
比較回路２８０は、入力端ａ、ｂに供給されたアナログ電圧同士を比較して、次のよう
な信号Ｆaを出力する。すなわち、比較回路２８０は、原則として、正極性書込が指定さ
れた水平走査期間（Ｈ）にあっては、入力端ａに供給される信号Ｖaの電圧が入力端ｂに
供給される信号Ｖbの電圧を下回っていれば信号ＦaをＬレベルとし、信号Ｖaの電圧が信
号Ｖbの電圧に一致したときに信号ＶaをＨレベルとする。また、比較回路２８０は、負極
性書込が指定された水平走査期間（Ｈ）にあっては、入力端ａに供給される信号Ｖaの電
圧が入力端ｂに供給される信号Ｖbの電圧を上回っていれば信号ＦaをＬレベルとし、信号
Ｖaの電圧が信号Ｖbの電圧に一致したときに信号ＶaをＨレベルとする。
ただし、比較回路２８０は、例外として初期設定モードにあっては、信号Ｖaの電圧が
信号Ｖbの電圧と一致していても、信号ＦaをＬレベルに固定する。
【００２５】
カウンタ２８２は、信号ＦaにおけるＨレベルの立ち上がりをカウントして、そのカウ
ント結果を示すカウント値Ｄbを出力するものである。なお、カウンタ２８２は、図示省
略されているが、カウント値Ｄbを、リセット信号Ｒesにより（すなわち水平走査期間の
開始時に）ゼロにリセットする構成となっている。
加算器２８４は、カウント値Ｄbを「１」だけインクリメントして、そのインクリメン
ト値を目標電圧生成回路２８６に供給するものである。
【００２６】
目標電圧生成回路２８６は、次のような電圧の信号Ｖbを出力するものである。
すなわち、目標電圧生成回路２８６は、信号Ｖbを、正極性書込が指定された水平走査
期間（Ｈ）の初期設定モードにおいて電圧Ｖp(0)とし、ランプ・モードに移行すれば、カ
ウント値Ｄbのインクリメント値を階調の値としたときに当該値に相当する正極性電圧で
あって、画素電極２３１に印加すべき電圧の目標となる階調電圧とする。上述したように
、正極性書込が指定されていれば、画素電極２３１に印加すべき電圧は、階調の値が大き
くなるにつれて電圧Ｖpcよりも高くなるので、階調の値「１」、「２」、「３」、…、「
２５５」に相当する正極性の階調電圧Ｖp(1)、Ｖp(2)、Ｖp(3)、…、Ｖp(255)は、
Ｖpc≦Ｖp(0)＜Ｖp(1)＜Ｖp(2)＜Ｖp(3)＜、…、＜Ｖp(255)
という関係にある。
【００２７】
また、目標電圧生成回路２８６は、信号Ｖbを、負極性書込が指定された水平走査期間
（Ｈ）の初期設定モードにおいて電圧Ｖn(0 )とし、ランプ・モードに移行すれば、カウ
ント値Ｄbのインクリメント値を階調の値としたときに当該値に相当する負極性電圧であ
って、画素電極２３１に印加すべき電圧の目標となる階調電圧とする。負極性書込が指定
されていれば、画素電極２３１に印加すべき電圧は、階調の値が大きくなるにつれて電圧
Ｖncよりも低くなるので、階調の値「１」、「２」、「３」、…、「２５５」に相当する
負極性の階調電圧Ｖn(1)、Ｖn(2)、Ｖn(3)、…、Ｖn(255)は、
Ｖnc≧Ｖn(0)＞Ｖn(1)＞Ｖn(2)＞Ｖn(3)＞、…、＞Ｖn( 255)
という関係にある。
なお、本実施形態では、特に図示していないが、Ｖp(255)≦Ｖn(0)とするとともに、Ｖ
n(255)≦Ｖp(0)としている。また、図５および図６において、Ｖpc＜Ｖp(0)としているが
、Ｖpc＝Ｖp(0)であっても良い。同様に、Ｖnc＞Ｖn(0)としているが、Ｖnc＝Ｖn(0)であ
っても良い。
【００２８】
このような構成におけるデータ線駆動回路２５０の動作について説明する。
まず、データ線駆動回路２５０では、図５（ａ）に示されるように、水平走査期間（Ｈ
）の開始直後では初期設定モードとなる。この初期設定モードでは、カウンタ２８２によ
るカウント値Ｄbはゼロにリセットされているので、加算器２８４からは当該ゼロの値に
「１」がインクリメントされた値が出力される。ただし、正極性書込が指定される水平走
査期間の初期設定モードにおいて、目標電圧生成回路２８６から出力される信号Ｖbの電
圧は、加算器２８４による加算値とは関係なく、階調の値「０」に相当する正極性電圧Ｖ
p(0)である。
一方、極性指定信号Ｐolによって正極性書込が指定される水平走査期間のうち、初期設
定モードでは、ランプ信号Ｖoutは電圧Ｖp(0)で一定であるので、ＴＦＴ２７４のドレイ
ン電極に現れる信号Ｖaも電圧Ｖp(0)となる。
また、初期設定モードでは、各列の比較回路２６６は、入力端Ａ、Ｂに供給される値の
大小関係とは関係なく、比較結果であるスイッチ制御信号をＨレベルとする。このため、
初期設定モードでは、スイッチ制御信号Ｘ1〜Ｘ240は、すべてＨレベルとなる。
【００２９】
水平走査期間（Ｈ）の開始時から所定期間（例えば水平走査期間の１／１００の期間）
経過すると、初期設定モードからランプ・モードへと移行する。ランプ・モードに移行し
た直後では、加算器２８４による加算値は「１」であるから、目標電圧生成回路２８６か
ら出力される信号Ｖbの電圧は、階調の値「１」に相当する正極性電圧Ｖp(1)となる。
一方、正極性書込が指定される水平走査期間においてランプ・モードに移行すると、ラ
ンプ信号Ｖoutは、電圧Ｖp(0)から上昇を開始する。ここで、ＴＦＴ２７４（のオン抵抗
）とダミー容量２７５とによる積分回路が形成されているので、当該ＴＦＴ２７４のドレ
イン電極に現れる信号Ｖaの電圧は、給電線２７０におけるランプ信号Ｖoutの電圧上昇に
対して一次遅れを伴って上昇する。
なお、初期設定モードにおいてスイッチ制御信号Ｘ1〜Ｘ240は、すべてＨレベルとなっ
ているので、１〜２４０列目のＴＦＴ２７２がすべてオンしている。ＴＦＴ２７４とダミ
ー容量２７５とによる積分回路の時定数は、オン状態のＴＦＴ２７２とデータ線２１１の
寄生容量との時定数と同じなるように設計されているので、信号Ｖaの電圧は、オン状態
のＴＦＴ２７２を介してデータ線２１１に現れる電圧と考えて良い。
【００３０】
正極性書込が指定される水平走査期間においてランプ・モードに移行した直後では、比
較回路２８０の入力端ａに供給される信号Ｖaの電圧は、入力端ｂに供給される信号Ｖbの
電圧Ｖp(1)よりも低くなるので、信号ＦaはＬレベルであり、カウント値Ｄbはゼロのまま
である。
したがって、正極性書込が指定される水平走査期間においてランプ・モードに移行した
直後では、階調の値が「０」である階調データがラッチされている列のスイッチ制御信号
は、ＨからＬレベルに変化するが、階調の値が「０」以外の階調データがラッチされてい
る列のスイッチ制御信号は、Ｈレベルに維持される。
換言すれば、ｉ行目の走査線が選択され、かつ、正極性書込が指定される水平走査期間
においてランプ・モードに移行したとき、ラッチ回路２６４にラッチされたｉ行ｊ列の画
素の階調データが指定する階調の値が「０」であれば、スイッチ制御信号ＸjがＨからＬ
レベルに変化することになる。
【００３１】
上述したように、ランプ・モードに移行すると、ランプ信号Ｖoutは、電圧Ｖp(0)から
上昇を開始する一方、ＴＦＴ２７４のドレイン電極に現れる信号Ｖaは、給電線２７０に
おけるランプ信号Ｖoutの電圧上昇に対して一次遅れを伴って上昇する。これに対し、カ
ウント値Ｄbがゼロであれば、信号Ｖbは電圧Ｖp(1)であるので、やがて信号Ｖaの電圧が
信号Ｖbの電圧Ｖp(1)に達することになる。
ここで、信号Ｖaの電圧が信号Ｖbの電圧Ｖp(1)に一致すると、信号ＦaはＨレベルに変
化して、これにより、カウンタ２８２によってカウント値Ｄbが「１」だけアップカウン
トされる。さらに、加算器２８４による加算値は「１」だけインクリメントされて「２」
になるので、目標電圧生成回路２８６から出力される信号Ｖbの電圧は、階調の値「２」
に相当する電圧Ｖp(2)にステップアップする。なお、信号Ｖbが、電圧Ｖp(2)にステップ
アップすると、信号Ｖaは信号Ｖbの電圧を下回ることになるので、信号Ｆaは再びＬレベ
ルに戻ることになる。
【００３２】
また、カウント値Ｄbが「１」にアップカウントされたとき、階調の値が「１」である
階調データがラッチされている列のスイッチ制御信号は、ＨからＬレベルに変化するが、
階調の値が「２」以上である階調データがラッチされている列のスイッチ制御信号は、依
然としてＨレベルに維持される。
換言すれば、ｉ行目の走査線が選択され、かつ、正極性書込が指定される水平走査期間
において、信号Ｖaの電圧が階調の値「１」に対応する正極性の電圧Ｖp(1)に達してカウ
ント値Ｄbが「１」にアップカウントされたとき、ｉ行ｊ列の画素の階調データで指定さ
れた階調の値が「１」であれば、スイッチ制御信号ＸjがＨからＬレベルに変化すること
になる。
【００３３】
ランプ信号Ｖoutの電圧上昇に伴って信号Ｖaの電圧が信号Ｖbの電圧Ｖp(2)に一致する
と、信号ＦaはＨレベルに変化するので、カウンタ２８２によってカウント値Ｄbが「１」
だけアップカウントされて「２」となる。このため、当該カウント値Ｄbを「１」だけイ
ンクリメントした加算値は「３」になるので、目標電圧生成回路２８６から出力される信
号Ｖbの電圧は、階調の値「３」に相当する電圧Ｖp(3)となる。したがって、信号Ｖaの電
圧が信号Ｖbの電圧Ｖp(2)に一致すると、信号Ｖbは、電圧Ｖp(3)にステップ状に上昇変化
するので、信号Ｆaは再びＬレベルに戻ることになる。
カウント値Ｄbが「２」にアップカウントされたとき、階調の値が「２」である階調デ
ータがラッチされている列のスイッチ制御信号は、ＨからＬレベルに変化するが、階調の
値が「３」以上である階調データがラッチされている列のスイッチ制御信号は、依然とし
てＨレベルに維持される。
【００３４】
以下同様な動作が、カウント値Ｄbが「２５５」となるまで繰り返される。このように
、ｉ行目の走査線が選択され、かつ、正極性書込が指定される水平走査期間において、ｉ
行ｊ列の画素の階調データで指定された階調の値が１以上２５５以下のｍである場合、ス
イッチ制御信号Ｘjは、ＴＦＴ２７４のドレイン電極に現れる電圧が、階調の値ｍに対応
する正極性電圧Ｖp(m)に達したときにＨからＬレベルに変化する。
ただし、ｉ行ｊ列の画素の階調データで指定された階調の値が「０」である場合、スイ
ッチ制御信号Ｘjは、初期設定モードからランプ・モードに移行したときにＨからＬレベ
ルに変化する。
【００３５】
一方、データ線駆動回路２５０において、負極性書込が指定される水平走査期間では、
図５（ｂ）に示されるように、水平走査期間（Ｈ）の開始直後では初期設定モードとなる
点で正極性書込が指定される水平走査期間と同様であるが、目標電圧生成回路２８６から
出力される信号Ｖbの電圧は、階調の値「０」に相当する負極性電圧Ｖn(0)となる。また
、この初期設定モードでは、スイッチ制御信号Ｘ1〜Ｘ240が、すべてＨレベルとなる点も
同様である。ただし、負極性書込が指定される水平走査期間の初期設定モードでは、ラン
プ信号Ｖoutは電圧Ｖn(0)となるので、ＴＦＴ２７４のドレイン電極に現れる信号Ｖaも電
圧Ｖn(0)となる。
【００３６】
負極性書込が指定される水平走査期間においてランプ・モードに移行した直後では、目
標電圧生成回路２８６から出力される信号Ｖbの電圧は、階調の値「１」に相当する負極
性電圧Ｖn(1)となる。また、負極性書込が指定される水平走査期間においてランプ・モー
ドに移行すると、ランプ信号Ｖoutは、電圧Ｖn(0)から下降を開始するので、ＴＦＴ２７
４のドレイン電極に現れる信号Ｖaの電圧は、ランプ信号Ｖoutの電圧下降に対して一次遅
れを伴って下降する。
負極性書込が指定される水平走査期間においてランプ・モードに移行した直後では、比
較回路２８０の入力端ａに供給される信号Ｖaの電圧は、入力端ｂに供給される信号Ｖbの
電圧Ｖn(1)よりも高いので、信号ＦaはＬレベルとなり、カウント値Ｄbはゼロのままであ
る。したがって、負極性書込が指定される水平走査期間においてランプ・モードに移行し
た直後では、階調の値が「０」である階調データがラッチされている列のスイッチ制御信
号は、ＨからＬレベルに変化するが、階調の値が「０」以外の階調データがラッチされて
いる列のスイッチ制御信号は、Ｈレベルに維持される。
ＴＦＴ２７４のドレイン電極に現れる信号Ｖaは、ランプ信号Ｖoutの電圧下降に対して
一次遅れを伴って下降するのに対し、カウント値Ｄbがゼロであれば、信号Ｖbは電圧Ｖn(
1)であるので、やがて信号Ｖaの電圧が信号Ｖbの電圧Ｖn(1)に達することになる。
ここで、信号Ｖaの電圧が信号Ｖbの電圧Ｖn(1)に一致すると、信号ＦaはＨレベルに変
化して、カウント値Ｄbが「１」だけアップカウントされるとともに、加算器２８４によ
る加算値は「１」だけインクリメントされて「２」になるので、目標電圧生成回路２８６
から出力される信号Ｖbの電圧は、階調の値「２」に相当する負極性電圧Ｖn(2)にステッ
プダウンする。なお、信号Ｖbが電圧Ｖn(2)にステップダウンすると、信号Ｖaは信号Ｖb
の電圧を上回るので、信号Ｆaは再びＬレベルに戻ることになる。
【００３７】
また、カウント値Ｄbが「１」にアップカウントされたとき、階調の値が「１」である
階調データがラッチされている列のスイッチ制御信号は、ＨからＬレベルに変化するが、
階調の値が「２」以上である階調データがラッチされている列のスイッチ制御信号は、依
然としてＨレベルに維持される。
ランプ信号Ｖoutのさらなる電圧下降に伴って信号Ｖaの電圧が信号Ｖbの電圧Ｖn(2)に
一致すると、信号ＦaはＨレベルに変化するので、カウント値Ｄbが「１」だけアップカウ
ントされて「２」となるので、目標電圧生成回路２８６から出力される信号Ｖbの電圧は
、階調の値「３」に相当する負極性電圧Ｖn(3)にステップダウンし、信号ＦaはＬレベル
に戻る。
カウント値Ｄbが「２」にアップカウントされたとき、階調の値が「２」である階調デ
ータがラッチされている列のスイッチ制御信号は、ＨからＬレベルに変化するが、階調の
値が「３」以上である階調データがラッチされている列のスイッチ制御信号は、依然とし
てＨレベルに維持される。
【００３８】
以下同様な動作が、カウント値Ｄbが「２５５」となるまで繰り返される。このように
、ｉ行目の走査線が選択され、かつ、負極性書込が指定される水平走査期間において、ｉ
行ｊ列の画素の階調データで指定された階調の値が１以上２５５以下のｍである場合、ス
イッチ制御信号Ｘjは、ＴＦＴ２７４のドレイン電極に現れる電圧が、階調の値ｍに対応
する負極性電圧Ｖn(m)に達したときにＨからＬレベルに変化する。ただし、ｉ行ｊ列の画
素の階調データで指定された階調の値が「０」である場合、スイッチ制御信号Ｘjは、初
期設定モードからランプ・モードに移行したときにＨからＬレベルに変化する。
結局、データ線駆動回路２５０において、ｊ列目のスイッチ制御信号Ｘjは、正極性書
込・負極性書込のいずれでも、初期設定モードにおいてはＨレベルとなり、この後にラン
プ・モードに移行してデータ線２１１の電圧と同視できる信号Ｖaの電圧が、信号Ｖbの電
圧、つまり階調データの指定値に対応する電圧となったとなったときに、ＨからＬレベル
に変化することになる。
【００３９】
次に、スイッチ制御信号がＨからＬレベルに変化することによる液晶容量１３０への電
圧書込について説明する。すでに図４に示したように、垂直走査期間（Ｆ）において走査
信号Ｙ1〜Ｙ320は、この順番でＨレベルとなるが、ここでは、ｉ行目の走査信号Ｙiと、
これに続く（ｉ＋１）行目の走査信号Ｙ(i+1)とがＨレベルとなる場合について説明する
。
【００４０】
図６は、ｉ行ｊ列の画素の書き込みと、これより１行下に隣接する（ｉ＋１）行ｊ列の
画素の書き込みとについて、走査信号Ｙi、Ｙ(i+1)の関係において示す図である。
スイッチ制御信号Ｘjは、走査信号ＹiがＨレベルとなる水平走査期間（Ｈ）の開始時に
おいてＨレベルとなり、ｉ行ｊ列の画素を明るくさせるほど、つまり階調の値が大きいほ
ど、Ｈレベルとなる期間Ｔ1が長くなる。スイッチ制御信号ＸjがＨレベルであると、ｊ列
目のＴＦＴ２７２がオン状態となるので、ｊ列目のデータ線２１１が給電線２７０に接続
され、これにより、ｊ列目のデータ線２１１にはランプ信号Ｖoutが供給される。
極性指定信号ＰolはＨレベルであって正極性書込が指定された水平走査期間（Ｈ）では
、ランプ信号Ｖoutは、階調の値「０」に対応する電圧Ｖp(0)から上昇する。
なお、データ線２１１に供給される信号は、上述したようにランプ信号Ｖoutの電圧に
対して一次遅れを伴うが、この一次遅れを伴った信号は、ＴＦＴ２７４のドレイン電極に
現れる信号Ｖaと同視できるので、ｊ列目のデータ線２１１の電圧Ｓjは、ｊ列目のＴＦＴ
２７２がオン状態にある限り、信号Ｖaの電圧と考えて良いことになる。
【００４１】
一方、走査信号ＹiがＨレベルになると、ｉ行目の走査線３１１に位置する１行分の画
素１２０において、ＴＦＴ２４１がオン状態となる。
このため、ｉ行ｊ列の画素１２０における画素電極２３１には、ランプ信号Ｖoutの電
圧変化に対して一次遅れを伴った電圧（信号Ｖaと同視できる電圧）が、ｊ列目のデータ
線２１１およびオン状態のＴＦＴ２４１を介して印加されることになる。
正極性書込が指定される水平走査期間（Ｈ）では、コモン電極１１０に供給される信号
Ｖoutは電圧Ｖpcで一定に保たれているので、ｉ行ｊ列の画素における液晶容量１３０で
は、ＴＦＴ２４１がオン状態となっているときにＴＦＴ２７２のオンによって、画素電極
２３１を高位側とした書き込みが開始されることになる。
【００４２】
次に、当該水平走査期間の開始時から期間Ｔ1だけ経過すると、データ信号ＸjはＨレベ
ルからＬレベルに変化すると、ＴＦＴ２７２がオンからオフ状態に切り替わる。このとき
、ｊ列目のデータ線２１１は、電圧を確定する要因のないハイ・インピーダンス状態とな
り、ＴＦＴ２４１がオン状態にあれば、画素電極２３１もハイ・インピーダンス状態にな
る。ただし、液晶容量１３０が、その直前の状態、すなわち、ＴＦＴ２７２がオフ状態に
変化する直前の信号Ｖaの電圧と信号Ｖcomの電圧Ｖpcとの差電圧を保持するので、ｊ列目
のデータ線２１１の電圧Ｓjおよびｉ行ｊ列の画素電極２３１の電圧は、ＴＦＴ２７２が
オフする直前の信号Ｖaの電圧に保たれる。
このように、ｉ行ｊ列の液晶容量１３０に対する書き込み電圧は、走査信号ＹiがＨレ
ベルとなっている水平走査期間において、ｊ列目のＴＦＴ２７２がオフした瞬間に確定し
て、正極性書込が指定されていれば、オフした瞬間における信号Ｖaの電圧と電圧Ｖpcと
の差電圧（図６において↑で示される電圧）が、画素電極２３１を高位側として、ＴＦＴ
２７２のオフ後においても保持されることなる。この保持状態は、当該水平走査期間の終
了によりＴＦＴ２４１がオフしても同様に保たれる。
また、ここではｉ行目の画素のうち、ｊ列目に位置するもので代表して動作説明したが
、走査信号ＹiがＨレベルとなる期間においては、ｉ行目に位置する１〜２４０列の画素
１行分のすべてについてｊ列目のような書き込みが同時並行的に実行される。
【００４３】
次の水平走査期間（Ｈ）においては、走査信号Ｙ(i+1)がＨレベルとなるので、（ｉ＋
１）行目に位置する１行分の画素について書き込みが同様に実行される。ただし、本実施
形態では、走査線毎に書込極性が反転するので、極性指示信号ＰolがＬレベルに反転する
結果、ランプ信号Ｖoutは、当該水平走査期間において階調の値「０」に対応する負極性
電圧Ｖn(0)から下降する一方、コモン電極１１０に供給される信号Ｖoutは電圧Ｖncに切
り替わる。
このため、（ｉ＋１）行ｊ列の液晶容量１３０に対して書き込まれる電圧は、走査信号
Ｙ(i+1)がＨレベルとなっている期間において、スイッチ制御信号ＸjがＨからＬレベルに
変化することによりｊ列目のＴＦＴ２７２がオフした瞬間に確定し、オフした瞬間におけ
る信号Ｖaの電圧と信号Ｖcomの電圧Ｖncとの差電圧（図６において↓で示される電圧）が
、画素電極２３１を低位側として、ＴＦＴ２７２およびＴＦＴ２４１がオフしても、保持
されることなる。
【００４４】
ここでは、互いに隣接するｉおよび（ｉ＋１）行目の書き込みついて説明しているが、
このような書き込みは、垂直走査期間（Ｆ）において、１、２、３、…、３２０行目の順
番で水平走査期間毎に実行されて、１フレームの画像が表示されることになる。また、次
の垂直走査期間（１Ｆ）では、各行において書込極性が反転して同様な書き込みが実行さ
れることになる。
【００４５】
ところで、１〜２４０列のＴＦＴ２７２は、初期設定モードにおいては全てオン状態に
あるが、ランプ・モードに移行すると、階調の値が小さい列から順番にオフ状態に切り替
わる。このため、ランプ信号生成回路２５２の出力端からみた容量負荷は、表示内容（つ
まりＴＦＴ２７２のオンからオフ状態に変化する個数変化）に応じて変動する。この容量
負荷の変動によって、給電線２７０に出力されるランプ信号Ｖoutでは、電圧がズレたり
、リンギング等が発生したりする（図５参照）。さらに、ランプ信号Ｖoutは、オン状態
のＴＦＴ２７２および寄生容量を有するデータ線２１１に供給されるので、当該データ線
２１１の電圧は、ランプ信号Ｖoutに対して一次遅れを伴う。これらのため、データ線２
１１の電圧は、ランプ信号Ｖoutが電圧変化しているランプ信号Ｖoutの電圧と一致しない
。したがって、ランプ信号に波形乱れ等が発生せず、ＴＦＴ２７２がオン状態にあればラ
ンプ信号と同じ電圧がデータ線２１１に印加される、という構成を前提とする従来の技術
では、階調の値に応じた電圧を液晶容量に保持させることができず、明るさのズレや、表
示ムラなどの原因となる。
【００４６】
ここで、給電線２７０に供給されるランプ信号Ｖoutにリンギングが発生するのであれ
ば、リンギングが収束するまで待てば良いが、このためには、水平走査期間（Ｈ）をより
長くする必要があるので、走査線の増加による表示の高精細化に対処できない、または、
表示可能な階調数を低下させなければならない、という問題がある。この問題を解消する
ためには、容量負荷が変動してもランプ信号の電圧変化の精度を高める必要があり、この
ためには、ランプ信号生成回路２５２における回路構成が複雑化するだけでなく、このよ
うなランプ信号生成回路２５２によるランプ信号生成動作を精度良く制御することが必要
となり、構成の簡易化や低消費電力化を大きく阻害してしまう。
また、従来の技術では、給電線２７０とデータ線２１１とを接続するＴＦＴ２７２のオ
ン抵抗が大きいと、時定数が大きくなり、ランプ信号Ｖoutの電圧変化に対してデータ線
２１１の電圧変化が遅れるので、ＴＦＴ２７２のオン抵抗を小さくをせざるを得ず、この
ため、当該ＴＦＴ２７２のサイズを大きくする必要もあった。
なお、デジタルデータをＤ／Ａコンバータによってアナログ信号に変換してランプ信号
Ｖoutとするような構成も考えられるが、セトリング時間の変化による電圧ズレが発生し
たり、オフセット電圧が変動したりする可能性があるので、明るさのズレや表示ムラなど
を抑えることへの根本的な解消策ではないし、構成の簡易化や低消費電力化も阻害する。
【００４７】
これに対し、本実施形態によれば、オン状態のＴＦＴ２７２を介してデータ線２１１に
印加された電圧と同視できる信号Ｖaが目的とする階調電圧に一致したときに、ＴＦＴ２
７２をオンからオフ状態にすることによって液晶容量１３０に書き込む電圧を確定させて
いる。したがって、たとえランプ信号Ｖoutの電圧がズレたり、リンギング等が発生した
り、また、電圧変化の精度が劣ったりしても、本実施形態では、液晶容量１３０の画素電
極に目標とする階調電圧を正確に印加することができるので、構成の簡易化や低消費電力
化を図った上で、明るさのズレや表示ムラなどの発生を抑えることが可能となる。
特に、ランプ信号生成回路２５２によるランプ信号Ｖoutに、波形精度が要求されない
ので、周波数安定度の低いＣＲ発振回路などを適用することができる、という効果もある
。
また、本実施形態では、信号Ｖaが目的とする階調電圧と比較するので、ＴＦＴ２７２
のオン抵抗は多少大きくても良く、このため、当該ＴＦＴ２７２のサイズを小さくするこ
とも可能である。
くわえて、実施形態において、アナログ信号経路のバッファ回路２７６、比較回路２８
０および目標電圧生成回路２８６における誤差やオフセットは、接続関係が固定であるた
めに常に一定であり、表示ムラ等に影響を及ぼすことはない。
【００４８】
なお、本実施形態では、階調の値に応じた時間が経過したときにＴＦＴ２７２をオンか
らオフ状態とするための構成と比較すると、実質的に追加する必要のある部分は、図３に
おいて一点鎖線で囲まれた領域部分である。このため、構成の変更（追加）が少なくて済
む。
換言すれば、構成の変更が多くても良いのであれば、例えば信号ＶaをＡ／Ｄコンバー
タによりデジタル値に変換するとともに、このデジタル値が、ｊ列目でいえば、ｊ列目の
画素の階調データで指定された階調の値に相当する値に達したときに、スイッチ制御信号
ＸjをＨからＬレベルに切り替える構成としても良い。
【００４９】
＜第２実施形態＞
上述した第１実施形態では、ランプ信号生成回路２５２と、目標電圧生成回路２８６と
の２つを備えていたが、両回路については、後者の目標電圧生成回路でまとめる構成も可
能である。
そこで次に、このような構成を採用した第２実施形態について説明する。この第２実施
形態に係る電気光学装置は、第１実施形態のデータ線駆動回路のみが異なる。このため、
以下の説明では、データ線駆動回路の相違点を中心に説明する。
【００５０】
図７は、第２実施形態に係る電気光学装置のデータ線駆動回路２５０の構成を示すブロ
ック図である。
この図に示されるように、第１実施形態におけるランプ信号生成回路２５２は存在せず
、その代わりに、目標電圧生成回路２８６によって生成された信号Ｖbが、バッファ回路
２９０によるバッファリングを経て給電線２７０に、ステップ状に電圧が変化するランプ
信号Ｖoutとして供給される構成となっている。このため、第２実施形態では、目標電圧
生成回路２８６が、カウント値に応じた階調電圧のランプ信号を生成する信号生成回路と
して機能する。
なお、バッファ回路２９０は、信号Ｖbの駆動能力を高めるための、電圧増幅係数が「
１」である電圧増幅回路である。
【００５１】
上述したように、ＴＦＴ２７４のドレイン電極に現れる信号Ｖaは、給電線２７０に供
給されたランプ信号Ｖoutの電圧変化に対して一次遅れを伴うので、ランプ信号Ｖoutがス
テップ状に変化した場合、図８に示されるように電圧変化することになる。
したがって、第２実施形態においても、第１実施形態と同様に、液晶容量１３０の画素
電極に対して目標とする階調電圧を正確に印加することができるので、データ線駆動回路
２５０の構成のさらなる簡易化を図った上で、明るさのズレや表示ムラなどの発生を抑え
ることが可能となる。
【００５２】
ところで、第２実施形態においてバッファ回路２７６、２９０、比較回路２８０などに
オフセットが発生した場合、誤動作の原因となる可能性がある。例えば、正極性書込が指
定される水平走査期間（Ｈ）の初期設定モードにおいて、信号Ｖaの電圧が、信号Ｖbの電
圧と同一でなく、高くなってしまうようにオフセットがかかった場合や、負極性書込が指
定される水平走査期間（Ｈ）の初期設定モードにおいて、信号Ｖaの電圧が、信号Ｖbより
も低くなってしまうようにオフセットがかかった場合などで、誤動作してしまうことにな
る。
【００５３】
そこで、バッファ回路２９０を次のような構成とすれば良い。すなわち、給電線２７０
に出力されるランプ信号Ｖoutの電圧が、目標電圧生成回路２８６により生成される信号
Ｖbの電圧よりも、正極性書込が指定される水平走査期間（ランプ信号Ｖoutを上昇させる
水平走査期間）のときにはやや高く、負極性書込が指定される水平走査期間（ランプ信号
Ｖoutを下降させる水平走査期間）のときにはやや低くなるように、バッファ回路２９０
を構成すれば良い。
【００５４】
このようなバッファ回路２９０の一例を図９に示す。この図に示されるように、バッフ
ァ回路２９０は、極性指定信号ＰolがＨレベルとなって正極性書込が指定される水平走査
期間である場合、スイッチ２９１が図において実線で示される位置をとって、信号Ｖbの
電圧をダイオード２９２の順方向電圧の分だけ高位側にシフトさせる一方、極性指定信号
ＰolがＬレベルとなって負極性書込が指定される水平走査期間である場合、スイッチ２９
１が図において破線で示される位置をとって、信号Ｖbの電圧をダイオード２９３の順方
向電圧の分だけ低位側にシフトさせて、それぞれランプ信号Ｖoutとして出力する構成で
ある。
また、符号２９５、２９６は、いずれも電圧増幅係数が「１」の電圧増幅回路である。
なお、目標電圧生成回路２８６を、例えばデジタル値をＤ／Ａ変換して信号Ｖbとする
構成において、正極性書込が指定される水平走査期間であれば、信号Ｖbの電圧を高位側
にシフトさせる一方、負極性書込が指定される水平走査期間であれば、信号Ｖbの電圧を
低位側にシフトさせても良い。
【００５５】
なお、第１および第２実施形態では、コモン電極１１０に供給されるコモン信号Ｖcom
を、正極性書込が指定される水平走査期間では相対的に低い電圧Ｖpcとし、負極性書込が
指定される水平走査期間では相対的に高い電圧Ｖncとしたが、同じ電圧で一定としても良
い。ただし、コモン信号Ｖcomの電圧を正極性・負極性で同一とした場合、ランプ信号Ｖo
utの電圧振幅がほぼ２倍にする必要があるので、各部に電圧耐性が要求されるだけでなく
、寄生容量等によって電圧振幅が大きくなる分だけ電力が無駄に消費されてしまう。
【００５６】
上述した実施形態において、液晶容量１３０はノーマリーブラックモードとしたが、保
持される電圧実効値が小さいほど、明状態となるノーマリーホワイトモードとしても良い
。ノーマリーホワイトモードであれば、カウンタ２８２の初期値を「２５５」とし、これ
を信号Ｆaの立ち上がりでダウンカウントする構成とし、さらに、カウント値Ｄbを加算器
２８４が「１」だけデクリメントする構成であれば良い。
また、Ｒ（赤）、Ｇ（緑）、Ｂ（青）の３画素で１ドットを構成して、カラー表示を行
うとしても良いし、さらに、別の１色（例えばシアン（Ｃ））を追加し、これらの４色の
画素で１ドットを構成して、色再現性を向上させる構成としても良い。
【００５７】
ランプ信号Ｖoutの電圧上昇率または下降率は一定である必要はなく、単調増加または
単調減少であれば良い。このため、例えば弓なりの、いわゆるガンマカーブ特性を持たせ
ても良い。また、第２実施形態において、目標電圧生成回路２８６による信号Ｖbを、バ
ッファ回路２９０を介してランプ信号Ｖoutとして供給したことからも判るように、ラン
プ信号Ｖoutの電圧をステップ状に上昇または下降させても良い。
なお、電圧比較の誤判断を防止するために、比較回路２８０に対し数ミリボルトから数
十ミリボルト程度の幅のヒステリシス特性を持たせても良い。ヒステリシスの幅は、例え
ば実験的に求めて設定するのが望ましい。
【００５８】
＜電子機器＞
次に、上述した実施形態に係る電気光学装置１を表示装置に適用した電子機器について
説明する。図１０は、実施形態に係る電気光学装置１を用いた携帯電話１２００の構成を
示す図である。
この図に示されるように、携帯電話１２００は、複数の操作ボタン１２０２のほか、受
話口１２０４、送話口１２０６とともに、上述した電気光学装置１を備えるものである。
なお、電気光学装置１のうち、表示領域１００に相当する部分以外の構成要素については
外観としては現れない。
なお、電気光学装置１が適用される電子機器としては、図１０に示される携帯電話の他
にも、デジタルスチルカメラや、フォトストレージ、ノートパソコン、液晶テレビ、ビュ
ーファインダ型（または、モニタ直視型）のビデオレコーダ、カーナビゲーション装置、
ページャ、電子手帳、電卓、ワードプロセッサ、ワークステーション、テレビ電話、ＰＯ
Ｓ端末、タッチパネルを備えた機器等などが挙げられる。そして、これらの各種電子機器
の表示装置として、上述した電気光学装置１が適用可能であることは言うまでもない。
【図面の簡単な説明】
【００５９】
【図１】本発明の第１実施形態に係る電気光学装置の構成を示す図である。
【図２】同電気光学装置における画素の構成を示す図である。
【図３】同電気光学装置におけるデータ線駆動回路の構成を示す図である。
【図４】同電気光学装置の動作を説明するための図である。
【図５】同電気光学装置の動作を説明するための図である。
【図６】同電気光学装置の動作を説明するための図である。
【図７】第２実施形態に係る電気光学装置におけるデータ線駆動回路を示す図である。
【図８】同電気光学装置の動作を説明するための図である。
【図９】同電気光学装置におけるバッファ回路の一例を示す図である。
【図１０】実施形態に係る電気光学装置を適用した携帯電話の構成を示す図である。
【符号の説明】
【００６０】
１…電気光学装置、１１０…コモン電極、１２０…画素、２１１…データ線、２３１…
画素電極、２４１…ＴＦＴ、２５０…データ線駆動回路、２５２…ランプ信号生成回路、
２６６…比較回路、２７０…給電線、２７２、２７４…ＴＦＴ、２７５…ダミー容量、２
８６…目標電圧生成回路、２８０…比較回路、２８２…カウンタ、３１１…走査線、３５
０…走査線駆動回路、４００…制御回路
【図１】
2008191617.tif 000003
【図２】
2008191617.tif 000004
【図３】
2008191617.tif 000005
【図４】
2008191617.tif 000006
【図５】
2008191617.tif 000007
【図６】
2008191617.tif 000008
【図７】
2008191617.tif 000009
【図８】
2008191617.tif 000010
【図９】
2008191617.tif 000011
【図１０】
2008191617.tif 000012